(57)【要約】【課題】ネット材によって構成される特殊ネット構造体であって、ネット組織安定性に富み、ネット組織見栄えを高めた補強補修用特殊ネット構造体およびその製造方法を提供すること。【解決手段】不燃性または自己消火性の長繊維糸を比較的細く束ねた第１の繊維束を、経方向並びに緯方向にそれぞれ比較的狭いネットピッチＰ１  を隔てて織成組織してなる第１のネット材１と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材２とによって構成され、前記第１のネット材と第２のネット材とを難燃性または自己消火性の樹脂接着剤により厚さ方向に重ね合わせ状に接着して一体化してなることを特徴とする補強補修用特殊ネット構造体ＮＣ。【選択図】図２
2004345116.tif 000002
【特許請求の範囲】
【請求項１】
不燃性または自己消火性の長繊維糸を比較的細く束ねた第１の繊維束を、経方向並びに緯方向にそれぞれ比較的狭いネットピッチＰ１  を隔てて織成組織してなる第１のネット材と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材とによって構成され、前記第１のネット材と第２のネット材とを難燃性または自己消火性の樹脂接着剤により厚さ方向に重ね合わせ状に接着して一体化してなることを特徴とする補強補修用特殊ネット構造体。
【請求項２】
前記長繊維糸が、耐アルカリガラス繊維、カーボン繊維、アラミド繊維、ビニロン、ナイロンなどであることを特徴とする請求項１に記載の補強補修用特殊ネット構造体。
【請求項３】
前記第１のネット材における経方向ならびに緯方向のネットピッチＰ１  が、３ｍｍ以上１０ｍｍ以下であることを特徴とする請求項１又は請求項２に記載の補強補修用特殊ネット構造体。
【請求項４】
前記第２のネット材のための前記第２の繊維束の幅寸法が、５ｍｍ以上１５ｍｍ以下であることを特徴とする請求項１又は請求項２に記載の補強補修用特殊ネット構造体。
【請求項５】
前記第２のネット材における経方向ならびに緯方向のネットピッチＰ２  が、２０ｍｍ以上５０ｍｍ以下であることを特徴とする請求項１又は請求項２に記載の補強補修用特殊ネット構造体。
【請求項６】
請求項１に記載の補強補修用特殊ネット構造体に対して、複数の発光ダイオードを含む発光システムを組み合わせたことを特徴とする補強補修用特殊ネット構造体。
【請求項７】
不燃性または自己消火性の長繊維糸を比較的細く束ねた第１の繊維束を、経方向並びに緯方向にそれぞれ比較的狭いネットピッチＰ１  を隔てて織成組織してなる第１のネット材と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材と、不織布材からなる防水透湿シート材とを、それぞれ幅方向に展開した状態で厚さ方向に重ね合わせ、搬送路にそって引っ張り搬送する搬送工程と、
前記搬送工程中において、前記第１のネット材と第２のネット材とを厚さ方向に重ね合わせ状にして、難燃性または自己消火性の樹脂接着剤を付与する接着剤付与工程と、
前記接着剤付与工程後に、重ね合わせ状の第１および第２のネット材の一方の側に、厚さ方向に重ね合わせ状に防水透湿シート材を供給する防水透湿シート材供給工程と、
前記接着剤付与工程における接着剤を乾燥して、前記第１のネット材と第２のネット材とを接着する乾燥接着工程とからなることを特徴とする補強補修用特殊ネット構造体の製造方法。
【請求項８】
接着により重ね合わせ状に一体化した第１および第２のネット材に、新たな防水透湿シートを重ね合わせて巻き取って巻取り体を形成する巻取り工程を含むことを特徴とする請求項７に記載の補強補修用特殊ネット構造体の製造方法。
【請求項９】
前記巻取り体を真空パック包装する包装工程を含むことを特徴とする請求項７又は請求項８に記載の補強補修用特殊ネット構造体の製造方法。
【発明の詳細な説明】
【０００１】
【発明の属する技術分野】
この発明は、例えば、既設の構築物などの補強補修に極めて効果的に適用される補強補修用特殊ネット構造体に係るものであり、特に、ネット組織の規則的な安定性を図り、且つ見栄えの良い補強補修用特殊ネット構造体を供するとともに、これを量産化可能になした補強補修用特殊ネット構造体の製造方法に関するものである。
【０００２】
【従来の技術】
周知のように、既設のトンネル壁に関して、コンクリート壁を覆っているモルタルが剥離して落下する所謂剥落事故が頻繁に生じており、場合によってはトンネル内を通過する列車あるいは車両に対する大きな事故の原因となっている。この既設トンネル壁のモルタル剥落を防止する方法として、従来から種々の補修工法が提案され、施工されてきている。
【０００３】
一例になる従来のモルタル壁の剥落を防止するための方法としては、既設の壁面の外表面上を完全に覆うようにして、ネットシートを中間層に埋設した補修層を形成する方法が主流になっている。この方法を既設トンネル壁の補修工法に適用すると、既設トンネル壁の外表面側が完全に覆われてしまう。このようにして、既設トンネル壁の外表面側を覆ってしまうような補修工法によれば、一度補修を行うとその後の覆工コンクリート表面の確認ができず、補修効果の確認を含め、維持管理上の支障となる場合があるという大きな問題点を有していた。
【０００４】
このため、対策工実施後も既設トンネル覆工コンクリート表面が外部観察でき、経済性、施工性に優れた既設トンネル壁剥落防止を目的とする既設トンネル壁の補強補修工法、並びにそのための施工材の研究開発が進められている。
【０００５】
【特許文献１】
特公平８−１４１８２号公報（図２）
【特許文献２】
特公平８−１４１８３号公報（図２）
【０００６】
【発明が解決しようとする課題】
そこで、この発明は、上記するような従来技術にみられる問題点を解決するべくなしたものであり、既設構築物の壁面、特に、既設トンネル壁の補強補修施工などのための特殊ネット構造体を開発して提供するものであり、修復のための作業の省力化、工期の短縮化に貢献する既設トンネル壁の補強補修用特殊ネット構造体ならびに当該補強補修用特殊ネット構造体の製造方法を提供することにある。さらに、この発明では、対策工実施後も既設トンネル覆工コンクリート表面が外部観察でき、経済性、施工性に優れた既設トンネル壁剥落防止を目的とする既設トンネル壁の補強補修のための施工材としての特殊ネット構造体ならびにこれを製造するための製造方法を提供することにある。さらにまた、この発明では、ネット組織の安定性並びにネット組織の見栄えに富んだ補強補修用特殊ネット構造体ならびにその製造方法を提供することにある。
【０００７】
【課題を解決するための手段】
この発明は、上記する目的を達成するにあたって、具体的には、不燃性または自己消火性の長繊維糸を比較的細く束ねた第１の繊維束を、経方向並びに緯方向にそれぞれ比較的狭いネットピッチＰ１  を隔てて織成組織してなる第１のネット材と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材とによって構成され、前記第１のネット材と第２のネット材とを難燃性または自己消火性の樹脂接着剤により厚さ方向に重ね合わせ状に接着して一体化してなる補強補修用特殊ネット構造体を構成するものである。
【０００８】
さらに、この発明は、前記長繊維糸が、耐アルカリガラス繊維、カーボン繊維、アラミド繊維、ビニロン、ナイロンなどである補強補修用特殊ネット構造体を構成するものである。
【０００９】
さらにまた、この発明は、前記第１のネット材における経方向ならびに緯方向のネットピッチＰ１  が、３ｍｍ以上１０ｍｍ以下である補強補修用特殊ネット構造体を構成するものである。
【００１０】
さらにまた、この発明は、前記第２のネット材のための前記第２の繊維束の幅寸法が、５ｍｍ以上１５ｍｍ以下である補強補修用特殊ネット構造体を構成するものである。
【００１１】
さらにまた、この発明は、前記第２のネット材における経方向ならびに緯方向のネットピッチＰ２  が、２０ｍｍ以上５０ｍｍ以下である補強補修用特殊ネット構造体を構成するものである。
【００１２】
さらにまた、この発明は、補強補修用特殊ネット構造体に対して、複数の発光ダイオードを含む発光システムを組み合わせた補強補修用特殊ネット構造体を構成するものでもある。
【００１３】
さらに、この発明は、不燃性または自己消火性の長繊維糸を比較的細く束ねた第１の繊維束を、経方向並びに緯方向にそれぞれ比較的狭いネットピッチＰ１  を隔てて織成組織してなる第１のネット材と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材と、不織布材からなる防水透湿シート材とを、それぞれ幅方向に展開した状態で厚さ方向に重ね合わせ、搬送路にそって引っ張り搬送する搬送工程と、前記搬送工程中において、前記第１のネット材と第２のネット材とを厚さ方向に重ね合わせ状にして、難燃性または自己消火性の樹脂接着剤を付与する接着剤付与工程と、前記接着剤付与工程後に、重ね合わせ状の第１および第２のネット材の一方の側に、厚さ方向に重ね合わせ状に防水透湿シート材を供給する防水透湿シート材供給工程と、前記接着剤付与工程における接着剤を乾燥して、第１のネット材と第２のネット材とを接着する乾燥接着工程とから補強補修用特殊ネット構造体の製造方法を構成するものである。
【００１４】
さらにまた、この発明は、接着により重ね合わせ状に一体化した第１および第２のネット材に、新たな防水透湿シートを重ね合わせて巻き取って巻取り体を形成する巻取り工程を含む補強補修用特殊ネット構造体の製造方法を構成するものでもある。
【００１５】
さらにまた、この発明は、前記巻取り体を真空パック包装する包装工程を含む補強補修用特殊ネット構造体の製造方法を構成するものでもある。
【００１６】
【発明の実施の形態】
以下、この発明になる補強補修用特殊ネット構造体について、図面に示す具体的な実施例にもとづいて詳細に説明する。図１は、この発明になる補強補修用特殊ネット構造体ＮＣをより効果的に製造するための装置例を概略的に示すものであって、図１Ａは、ライン化した当該装置の上流側の部分を示す概略的な側面図、図１Ｂは、上記する図１Ａの右端に連続する当該装置の下流側の部分を示す概略的な側面図であり、図１Ｃは、把持手段の部分を部分的に平面視した概略的な部分平面図である。一方、図２は、この発明になる補強補修用特殊ネット構造体ＮＣの基本的な構成を示すものであり、図２Ａは、その概略的な平面図であり、図２Ｂは、図２Ａにおける２Ｂ−２Ｂ線に沿って断面にして示す概略的な２Ｂ−２Ｂ線断面図である。
【００１７】
まず、図２に基づいて、この発明になる補強補修用特殊ネット構造体ＮＣについて詳細に説明する。この発明になる補強補修用特殊ネット構造体ＮＣは、第１のネット材１と、第２のネット材２とを厚さ方向に重ね合わせ状に複合して一体化したものにより構成される。前記第１のネット材１は、不燃性または自己消火性の樹脂で被覆された長繊維糸を織成により組織したものであり、前記第２のネット材２は、不燃性または自己消火性の樹脂で被覆された長繊維糸によって比較的広幅に束ねた長繊維糸束を織成により組織したものである。この発明に適用される前記長繊維糸としては、耐アルカリガラス繊維、カーボン繊維、アラミド繊維、ビニロン、ナイロンなどが好ましい実施例として挙げられる。
【００１８】
この発明において、さらに特徴とする点は、前記第１のネット材１と、第２のネット材２とが、それぞれ異なる組織によって構成されていることにある。すなわち、この発明において、前記第１のネット材１は、経方向糸１ａに対して緯方向糸１ｂを絡めて組織してなり、経方向糸１ａ並びに緯方向糸１ｂのそれぞれのネットピッチＰ１  が、約３ｍｍ以上１０ｍｍ以下、好ましくは、約５ｍｍ程度になるように組織されたものからなっている。
【００１９】
一方、前記第２のネット材２は、幅寸法が、５ｍｍ以上１５ｍｍ以下である経方向糸束２ａ並びに緯方向糸束２ｂと、これとは別の緯方向糸２ｃとにより構成されており、前記経方向糸束２ａに緯方向糸束２ｂを交差させ、この交差部３において前記緯方向糸２ｃを前記経方向糸束２ａに絡めて組織してある。前記経方向糸束２ａ並びに緯方向糸束２ｂのそれぞれのネットピッチＰ２  は、約２０ｍｍ以上５０ｍｍ以下、好ましくは、約２５ｍｍ程度になるように組織されたものからなっている。
【００２０】
これらのネット材は、経方向糸と緯方向糸とが固定的に組織されているものではなく、単に絡めた状態で提供されているため外力が加わる毎にネット目が不規則に変動してしまい、極めて取り扱い難いものである。この発明では、上記する極めて取り扱い難いネット材のネット目を規則的に整然と整えた状況下で、当該第１のネット材１と第２のネット材２とを複合化し、ネット目の整った見栄えのよい補強補修用特殊ネット構造体ＮＣを供するものであり、且つ当該補強補修用特殊ネット構造体ＮＣを量産化可能になした製造方法を供するものである。
【００２１】
この発明になる補強補修用特殊ネット構造体ＮＣは、上記する第１のネット材１並びに第２のネット材２とをそれぞれ経方向並びに緯方向に合わせ、重ね合わせ状にして、難燃性または自己消火性の樹脂接着剤により接着して一体化する。この発明になる補強補修用特殊ネット構造体ＮＣは、適度の保形性を確保するとともに、適度の可撓性を備えたものである。
【００２２】
さらに、この発明では、前記第１のネット材１および第２のネット材２に絡めて複数の発光ダイオードを含む発光システムを組み合わせてなる補強補修用特殊ネット構造体ＮＣを構成することもできる。この実施例において、前記発光システムに対しては電源回路が組み合わされ、必要に応じて点灯−消灯あるいは点滅制御のための制御手段を組み込むことができる。この実施例によれば、当該補強補修用特殊ネット構造体ＮＣを用いた、例えば、トンネル内の施工部所に面的な照明として活用できる。
【００２３】
次いで、上記構成になる補強補修用特殊ネット構造体ＮＣを効果的に製造する製造方法について、図１に示す装置例にもとづいて説明する。まず、この発明において、不燃性または自己消火性の長繊維糸を比較的細く束ねた第１の繊維束を、経方向並びに緯方向にそれぞれ比較的狭いネットピッチＰ１  を隔てて織成組織してなる第１のネット材１と、不燃性または自己消火性の長繊維糸を比較的広幅に束ねた第２の繊維束を、経方向並びに緯方向にそれぞれ比較的広いネットピッチＰ２  を隔てて織成組織してなる第２のネット材２と、不織布材からなる防水透湿シート材４とが、それぞれロール状に巻かれた第１のネット材供給源１１、第２のネット材供給源１２、防水透湿シート材供給源１４として準備される。
【００２４】
一例において、前記第１のネット材供給源１１と、第２のネット材供給源１２とは、スタンド１３に対して巻き出し自在に装架されている。一方、前記防水透湿シート材供給源１４は、後述する樹脂接着剤収容槽１５の下流側に設けたブラケット１６に対して巻き出し自在に装架されている。
【００２５】
前記第１のネット材供給源１１から巻き出される第１のネット材１と、第２のネット材供給源１２から巻き出される第２のネット材２と、防水透湿シート材供給源１４から巻き出される防水透湿シート材４とは、その搬送先行端ＰＥを整合して、それぞれ幅方向に展開した状態で厚さ方向に重ね合わせ状にし、把持手段１７によって把持して、搬送テーブル１８により形成される搬送路１９に沿って搬送可能に構成してある。前記把持手段１７は、例えば、一対の牽引ベルト２０を介して牽引ベルト巻取装置２１に接続してあり、前記第１のネット材１、第２のネット材２および防水透湿シート材４は、その搬送先行端ＰＥが把持された状態で、矢印方向Ｘに向け、幅方向に均等な引っ張り力が付与された状態で牽引されるようになっている。
【００２６】
前記搬送工程中において、前記第１のネット材１と第２のネット材２とを厚さ方向に重ね合わせ状にして積層接着するための接着工程並びに乾燥させるための乾燥工程が設けられている。前記接着工程では、前記第１のネット材供給源１１から巻き出される第１のネット材１と、第２のネット材供給源１２から巻き出される第２のネット材２とが重ね合わせた状態で、ガイドローラ２３、２４、２５にガイドされ、難燃生の樹脂接着剤２２を収容してある樹脂接着剤収容槽１５内を走行するように構成されている。
【００２７】
前記第１のネット材１と第２のネット材２とは、樹脂接着剤収容槽１５内を通過することによって、重ね合わせ状に接着され、しかる後、前述した防水透湿シート材供給源１４から巻き出される防水透湿シート材４上に積層状に載せられた状態で、その下流側に設けてある乾燥手段２６を通過するようになっている。前記防水透湿シート材４は、不織布からなり、防水機能を有するとともに、余分な樹脂接着剤を吸い取る機能を有している。前記乾燥手段２６は、例えば、乾燥用ランプによって構成されており、前記樹脂接着剤を乾燥し、前記第１のネット材１と第２のネット材２との間を確実に接着して、この発明になる補強補修用特殊ネット構造体ＮＣを得る。
【００２８】
接着により重ね合わせ状に一体化した第１のネット材１および第２のネット材２からなる補強補修用特殊ネット構造体ＮＣは、所望の長さ寸法に裁断される。この段階で、防水透湿シート材４が取り除かれる。
【００２９】
さらに、この発明では、所望の長さ寸法に裁断された補強補修用特殊ネット構造体ＮＣを巻き取る巻取り工程を含む。この巻取り工程では、前記補強補修用特殊ネット構造体ＮＣに対して、新たな防水透湿シートが重ね合わされ、前記補強補修用特殊ネット構造体ＮＣと防水透湿シートとを重ね合わせ状態で巻き取って巻取り体を形成するようになっている。
【００３０】
さらにまた、この発明のより好ましい実施例によれば、前記巻取り体は、その包装工程において、真空パック包装が施される。このように真空パック包装された補強補修用特殊ネット構造体ＮＣは、安定した状態で保管され、品質が保証された状態で施工現場に供することができる。
【００３１】
【発明の効果】
以上の構成になるこの発明の補強補修用特殊ネット構造体ＮＣ並びにその製造方法によれば、極めて簡単な構造でなり、製造が容易であり、多量生産に適合する点において極めて有効に作用する。
【００３２】
さらにまた、この発明になる補強補修用特殊ネット構造体ＮＣによれば、補強補修すべき既設トンネル壁面に対して、極めて簡易的に取付けることができ、その点において極めて有効に作用するものといえる。
【００３３】
さらにまた、この発明になる補強補修用特殊ネット構造体ＮＣによれば、第１のネット材および第２のネット材によって構成されている点において、対策工実施後も、例えば、当該特殊ネット構造体越しに、既設トンネル覆工コンクリート表面が外部観察でき、経済性、施工性に優れた既設トンネル壁剥落防止を目的とする既設トンネル壁の補強補修のための施工材として極めて有効に作用するものといえる。
【００３４】
さらにまた、この発明になる補強補修用特殊ネット構造体ＮＣの製造方法によれば、それぞれ単独では組織安定性を欠くものである第１のネット材および第２のネット材を、それぞれ幅方向に均等に展開した状態で、確実に整合させて、樹脂接着剤により接着して一体化するものであり、安定性に富んだ見栄えの良い製品を提供し得る点においても極めて有効に作用するものといえる。
【図面の簡単な説明】
【図１】図１は、この発明になる補強補修用特殊ネット構造体ＮＣをより効果的に製造するための装置例を概略的に示すものであって、図１Ａは、ライン化した当該装置の上流側の部分を示す概略的な側面図、図１Ｂは、上記する図１Ａの右端に連続する当該装置の下流側の部分を示す概略的な側面図であり、図１Ｃは、把持手段の部分を部分的に平面視した概略的な部分平面図である。
【図２】図２は、この発明になる補強補修用特殊ネット構造体ＮＣの基本的な構成を示すものであり、図２Ａは、その概略的な平面図であり、図２Ｂは、図２Ａにおける２Ｂ−２Ｂ線に沿って断面にして示す概略的な２Ｂ−２Ｂ線断面図である。
【符号の説明】
ＮＣ  特殊ネット構造体
１  第１のネット材
１ａ  第１のネット材の経方向糸
１ｂ  第１のネット材の緯方向糸
２  第２のネット材
２ａ  第２のネット材の経方向糸束
２ｂ  第２のネット材の緯方向糸束
２ｃ  第２のネット材の緯方向糸
Ｐ１    第１のネット材のネットピッチ
Ｐ２    第２のネット材のネットピッチ
３  交差部
４  不織布材からなる防水透湿シート材
１１  第１のネット材供給源
１２  第２のネット材供給源
１３  スタンド
１４  防水透湿シート材供給源
１５  樹脂接着剤収容槽
１６  ブラケット
ＰＥ  搬送先行端
１７  把持手段
１８  搬送テーブル
１９  搬送路
２０  牽引ベルト
２１  牽引ベルト巻取装置
２２  樹脂接着剤
２３、２４、２５  ガイドローラ
２６  乾燥手段
【図１】
2004345116.tif 000003
【図２】
2004345116.tif 000004